(57)【特許請求の範囲】
【請求項１】
車載器がデータを送受信するデータ送受信システムであって、
自動車に関する情報処理を行う車載器と、
前記車載器から供給される電力を受けて起動した場合には前記車載器からデータを受信して記憶し、リーダから送信された電波を受けて起動した場合には前記記憶しているデータを前記リーダへ送信するＩＣタグと
を備え、
前記車載器は、
自装置への電力供給が遮断された場合に、その旨を検知する遮断検知部と、
前記遮断検知部が自装置への電力供給が遮断されたことを検知した場合に、自装置への電力供給が遮断されたときの状況を示す状況データを前記自動車の自動車コンピュータから取得すると共に、前記状況データによって示される状況に応じて、自装置が起動していない状況において参照されるべき情報を、前記自動車に設けられた機器から取得する情報取得部と、
前記ＩＣタグへ、前記情報取得部が取得した情報を示すデータを送信するデータ送信部と
を有するデータ送受信システム。
【請求項２】
自動車に関する情報処理を行う車載器がデータを送受信するデータ送受信方法であって、
前記車載器が、自装置への電力供給が遮断された場合に、その旨を検知する遮断検知段階と、
前記車載器が、前記遮断検知段階において自装置への電力供給が遮断されたことが検知された場合に、自装置への電力供給が遮断されたときの状況を示す状況データを前記自動車の自動車コンピュータから取得すると共に、前記状況データによって示される状況に応じて、自装置が起動していない状況において参照されるべき情報を、前記自動車に設けられた機器から取得する情報取得段階と、
前記車載器から供給される電力を受けて起動した場合には前記車載器からデータを受信して記憶し、リーダから送信された電波を受けて起動した場合には前記記憶しているデータを前記リーダへ送信するＩＣタグへ、前記車載器が、前記情報取得段階において取得された情報を示すデータを送信するデータ送信段階と
を含むデータ送受信方法。
【請求項３】
自動車に関する情報処理を行う車載器であって、
自装置への電力供給が遮断された場合に、その旨を検知する遮断検知部と、
前記遮断検知部が自装置への電力供給が遮断されたことを検知した場合に、自装置への電力供給が遮断されたときの状況を示す状況データを前記自動車の自動車コンピュータから取得すると共に、前記状況データによって示される状況に応じて、自装置が起動していない状況において参照されるべき情報を、前記自動車に設けられた機器から取得する情報取得部と、
当該車載器から供給される電力を受けて起動した場合には当該車載器からデータを受信して記憶し、リーダから送信された電波を受けて起動した場合には前記記憶しているデータを前記リーダへ送信するＩＣタグへ、前記情報取得部が取得した情報を示すデータを送信するデータ送信部と
を備える車載器。
【請求項４】
自動車に関する情報処理を行う車載器としてコンピュータを機能させるプログラムであって、
前記コンピュータを、
自装置への電力供給が遮断された場合に、その旨を検知する遮断検知部、
前記遮断検知部が自装置への電力供給が遮断されたことを検知した場合に、自装置への電力供給が遮断されたときの状況を示す状況データを前記自動車の自動車コンピュータから取得すると共に、前記状況データによって示される状況に応じて、自装置が起動していない状況において参照されるべき情報を、前記自動車に設けられた機器から取得する情報取得部、
当該コンピュータから供給される電力を受けて起動した場合には当該コンピュータからデータを受信して記憶し、リーダから送信された電波を受けて起動した場合には前記記憶しているデータを前記リーダへ送信するＩＣタグへ、前記情報取得部が取得した情報を示すデータを送信するデータ送信部
として機能させるプログラム。
【請求項５】
自動車に関する情報処理を行う車載器としてコンピュータを機能させるプログラムを記録した記録媒体であって、
前記コンピュータを、
自装置への電力供給が遮断された場合に、その旨を検知する遮断検知部、
前記遮断検知部が自装置への電力供給が遮断されたことを検知した場合に、自装置への電力供給が遮断されたときの状況を示す状況データを前記自動車の自動車コンピュータから取得すると共に、前記状況データによって示される状況に応じて、自装置が起動していない状況において参照されるべき情報を、前記自動車に設けられた機器から取得する情報取得部、
当該コンピュータから供給される電力を受けて起動した場合には当該コンピュータからデータを受信して記憶し、リーダから送信された電波を受けて起動した場合には前記記憶しているデータを前記リーダへ送信するＩＣタグへ、前記情報取得部が取得した情報を示すデータを送信するデータ送信部
として機能させるプログラムを記録した記録媒体。
【発明の詳細な説明】
【技術分野】
【０００１】
本発明は、データ送受信システム、データ送受信方法、車載器、プログラム及び記録媒体に関する。特に本発明は、車載器がデータを送受信するデータ送受信システム、データ送受信方法、自動車に関する情報処理を行う車載器、コンピュータを当該車載器として機能させるプログラム、並びに当該プログラムを記録した記録媒体に関する。
【背景技術】
【０００２】
自動車には、車両に関する様々な情報を示すデータを、車外装置と送受信するための車載器が設けられることがある（例えば、特許文献１参照。）。車載器は、例えば、ＤＳＲＣ（Ｄｅｄｉｃａｔｅｄ  Ｓｈｏｒｔ  Ｒａｎｇｅ  Ｃｏｍｍｕｎｉｃａｔｉｏｎ）等の無線通信を利用して、車外装置へデータを送信する。
【先行技術文献】
【特許文献】
【０００３】
【特許文献１】特許第３３５３８２１号公報
【発明の概要】
【発明が解決しようとする課題】
【０００４】
ところで、車載器から送信されるデータは、自動車のエンジンがかかっていない場合にも必要になることがある。しかしながら、車載器は、一般的に、自動車のバッテリーから供給される電力によって動作する。したがって、車載器は、自動車のエンジンがかかっていない場合等、自動車のバッテリーからの電力が供給されていない場合、車外装置へデータを送信することができない。
【課題を解決するための手段】
【０００７】
上記課題を解決するために、本発明の第１の形態によると、車載器がデータを送受信するデータ送受信システムであって、自動車に関する情報処理を行う車載器と、車載器から供給される電力を受けて起動した場合には車載器からデータを受信して記憶し、リーダから送信された電波を受けて起動した場合には記憶しているデータをリーダへ送信するＩＣタグとを備え、車載器は、自装置への電力供給が遮断された場合に、その旨を検知する遮断検知部と、遮断検知部が自装置への電力供給が遮断されたことを検知した場合に、自装置への電力供給が遮断されたときの状況を示す状況データを自動車の自動車コンピュータから取得すると共に、状況データによって示される状況に応じて、自装置が起動していない状況において参照されるべき情報を、自動車に設けられた機器から取得する情報取得部と、ＩＣタグへ、情報取得部が取得した情報を示すデータを送信するデータ送信部とを有する。
【０００９】
本発明の第２の形態によると、自動車に関する情報処理を行う車載器がデータを送受信するデータ送受信方法であって、車載器が、自装置への電力供給が遮断された場合に、その旨を検知する遮断検知段階と、車載器が、遮断検知段階において自装置への電力供給が遮断されたことが検知された場合に、自装置への電力供給が遮断されたときの状況を示す状況データを自動車の自動車コンピュータから取得すると共に、状況データによって示される状況に応じて、自装置が起動していない状況において参照されるべき情報を、自動車に設けられた機器から取得する情報取得段階と、車載器から供給される電力を受けて起動した場合には車載器からデータを受信して記憶し、リーダから送信された電波を受けて起動した場合には記憶しているデータをリーダへ送信するＩＣタグへ、車載器が、情報取得段階において取得された情報を示すデータを送信するデータ送信段階とを含む。
【００１０】
本発明の第３の形態によると、自動車に関する情報処理を行う車載器であって、自装置への電力供給が遮断された場合に、その旨を検知する遮断検知部と、遮断検知部が自装置への電力供給が遮断されたことを検知した場合に、自装置への電力供給が遮断されたときの状況を示す状況データを自動車の自動車コンピュータから取得すると共に、状況データによって示される状況に応じて、自装置が起動していない状況において参照されるべき情報を、自動車に設けられた機器から取得する情報取得部と、当該車載器から供給される電力を受けて起動した場合には当該車載器からデータを受信して記憶し、リーダから送信された電波を受けて起動した場合には記憶しているデータをリーダへ送信するＩＣタグへ、情報取得部が取得した情報を示すデータを送信するデータ送信部とを備える。
【００１１】
本発明の第４の形態によると、自動車に関する情報処理を行う車載器としてコンピュータを機能させるプログラムであって、コンピュータを、自装置への電力供給が遮断された場合に、その旨を検知する遮断検知部、遮断検知部が自装置への電力供給が遮断されたことを検知した場合に、自装置への電力供給が遮断されたときの状況を示す状況データを自動車の自動車コンピュータから取得すると共に、状況データによって示される状況に応じて、自装置が起動していない状況において参照されるべき情報を、自動車に設けられた機器から取得する情報取得部、当該コンピュータから供給される電力を受けて起動した場合には当該コンピュータからデータを受信して記憶し、リーダから送信された電波を受けて起動した場合には記憶しているデータをリーダへ送信するＩＣタグへ、情報取得部が取得した情報を示すデータを送信するデータ送信部として機能させる。
【００１２】
本発明の第５の形態によると、自動車に関する情報処理を行う車載器としてコンピュータを機能させるプログラムを記録した記録媒体であって、コンピュータを、自装置への電力供給が遮断された場合に、その旨を検知する遮断検知部、遮断検知部が自装置への電力供給が遮断されたことを検知した場合に、自装置への電力供給が遮断されたときの状況を示す状況データを自動車の自動車コンピュータから取得すると共に、状況データによって示される状況に応じて、自装置が起動していない状況において参照されるべき情報を、自動車に設けられた機器から取得する情報取得部、当該コンピュータから供給される電力を受けて起動した場合には当該コンピュータからデータを受信して記憶し、リーダから送信された電波を受けて起動した場合には記憶しているデータをリーダへ送信するＩＣタグへ、情報取得部が取得した情報を示すデータを送信するデータ送信部として機能させるプログラムを記録した。
【００１３】
なおまた、上記の発明の概要は、本発明の必要な特徴の全てを列挙したものではない。また、これらの特徴群のサブコンビネーションもまた、発明となり得る。
【発明の効果】
【００１４】
以上の説明から明らかなように、情報処理装置が起動していない状況において参照されるべき情報を示すデータを、リーダから送信された電波を受けて起動するＩＣ（Ｉｎｔｅｇｒａｔｅｄ  Ｃｉｒｃｕｉｔ）タグから読み出すことができる。
【図面の簡単な説明】
【００１５】
【図１】一実施形態に係るデータ送受信システム１００の利用環境の一例を示す図である。
【図２】車載器１１０のブロック構成の一例を示す図である。
【図３】車載器１１０の動作フローの一例を示す図である。
【図４】車載器１１０の動作フローの一例を示す図である。
【図５】本実施形態に係る車載器１１０を構成するコンピュータ８００のハードウェア構成の一例を示す図である。
【発明を実施するための形態】
【００１６】
以下、発明の実施の形態を通じて本発明を説明するが、以下の実施形態は特許請求の範囲にかかる発明を限定するものではなく、また、実施形態の中で説明されている特徴の組み合わせの全てが発明の解決手段に必須であるとは限らない。
【００１７】
図１は、一実施形態に係るデータ送受信システム１００の利用環境の一例を示す。データ送受信システム１００は、車載器１１０がデータを送受信するシステムである。より具体的に説明すると、データ送受信システム１００は、車載器１１０、及びＩＣタグ１３０を備える。そして、車載器１１０とＩＣタグ１３０とは、通信ケーブルを介して通信接続されている。なおまた、車載器１１０は、この発明における「情報処理装置」の一例であってよい。ここで、情報処理装置とは、情報処理を行う装置である。
【００１８】
車載器１１０は、電気自動車Ｖに関する情報処理を行う装置である。より具体的に説明すると、車載器１１０は、電気自動車ＶのバッテリーＢから供給される電力を受けて動作する。そして、車載器１１０は、バッテリーＢから供給される電力を受けている間、通信ケーブルを介して、ＩＣタグ１３０へ電力を供給する。そして、車載器１１０は、ＩＣタグ１３０とデータを送受信する。
【００１９】
ＩＣタグ１３０は、無線ＩＣチップである。より具体的に説明すると、ＩＣタグ１３０は、車載器１１０から通信ケーブルを介して供給される電力を受けて起動する。その場合、ＩＣタグ１３０は、車載器１１０とデータを送受信する。そして、ＩＣタグ１３０は、車載器１１０からデータを受信すると、そのデータを記憶する。また、ＩＣタグ１３０は、リーダＲから送信された電波を受けて起動する。その場合、ＩＣタグ１３０は、リーダＲとデータを送受信する。そして、ＩＣタグ１３０は、リーダＲからデータを受信すると、そのデータを記憶する。ここで、リーダとは、ＩＣタグ１３０の読み書きを行う装置である。
【００２０】
なおまた、本実施形態においては、説明が煩雑になることを防ぐことを目的として、データ送受信システム１００が一の電気自動車Ｖにつき、一の車載器１１０、及びＩＣタグ１３０を備える構成について説明する。しかしながら、データ送受信システム１００は、一の電気自動車Ｖにつき、複数の車載器１１０、及びＩＣタグ１３０を備えてよい。
【００２１】
図２は、車載器１１０のブロック構成の一例を示す。車載器１１０は、遮断検知部１１１、情報取得部１１２、データ送信部１１３、送信要求部１１４、データ受信部１１５、及び情報処理部１１６を有する。以下、各構成要素の機能及び動作を説明する。
【００２２】
遮断検知部１１１は、車載器１１０への電力供給が遮断された場合に、その旨を検知する。
【００２３】
情報取得部１１２は、車載器１１０が起動していない状況において参照されるべき情報を取得する。
【００２４】
データ送信部１１３は、車載器１１０が起動していない状況において参照されるべき情報を示すデータを、ＩＣタグ１３０へ送信する。より具体的に説明すると、データ送信部１１３は、遮断検知部１１１が車載器１１０への電力供給が遮断されたことを検知した場合に、データを送信する。また、データ送信部１１３は、情報取得部１１２が取得した情報を示すデータを送信する。
【００２５】
送信要求部１１４は、車載器１１０が起動した場合に、ＩＣタグ１３０に対してデータの送信要求を行う。
【００２６】
データ受信部１１５は、ＩＣタグ１３０から送信されたデータを受信する。
【００２７】
情報処理部１１６は、データ受信部１１５が受信したデータによって示される情報の内容に応じた情報処理を行う。
【００２８】
図３は、車載器１１０の動作フローの一例を示す。この動作フローにおいては、車載器１１０への電力の供給が停止した場合の車載器１１０の動作について説明する。なおまた、この動作フローの説明においては、図１、及び図２を共に参照する。
【００２９】
車載器１１０は、電気自動車ＶのバッテリーＢから供給される電力を受けて動作している。その際、ＩＣタグ１３０は、車載器１１０から通信ケーブルを介して供給される電力により起動している。しかしながら、何らかの理由により、車載器１１０へ供給される電力は、遮断されることがある。その場合、車載器１１０は、図３に示す動作フローの処理を行った後にシャットダウンする。なおまた、車載器１１０は、図３に示す動作フローの処理を行っている際、例えば、車載器１１０の補助バッテリー等の電力を一時的に利用する。
【００３０】
車載器１１０への電力の供給が遮断されると、車載器１１０の遮断検知部１１１は、その旨を検知する（Ｓ１０１）。ここで、車載器１１０への電力の供給が遮断される状況としては、例えば、イグニッションキーやエンジンスターター等のスイッチの操作により電気自動車Ｖのエンジンが停止した場合や、電気自動車ＶのバッテリーＢが切れた場合や、電気自動車Ｖが故障した場合等が挙げられる。遮断検知部１１１は、車載器１１０への電力の供給が遮断されたことを検知すると、その旨を示すデータを、情報取得部１１２へ送る。
【００３１】
車載器１１０の情報取得部１１２は、遮断検知部１１１から送られたデータを受け取ると、車載器１１０が起動していない状況において参照されるべき情報を取得する（Ｓ１０２）。より具体的に説明すると、情報取得部１１２は、上述したような車載器１１０への電力の供給が遮断されたときの状況を示すデータを、例えば、電気自動車ＶのＣＡＮ（Ｃｏｎｔｒｏｌｌｅｒ  Ａｒｅａ  Ｎｅｔｗｏｒｋ）を介して、電気自動車Ｖのコンピュータから取得する。そして、情報取得部１１２は、取得したデータによって示される状況に応じて、車載器１１０が起動していない状況において参照されるべき情報を、例えば、電気自動車ＶのＣＡＮに接続されている各種機器から取得する。例えば、イグニッションキーやエンジンスターター等のスイッチの操作により電気自動車Ｖのエンジンが停止して、車載器１１０への電力の供給が遮断されていた場合、情報取得部１１２は、車載器１１０が起動していない状況において参照されるべき情報として、充電残量や走行距離の情報を取得する。また、例えば、電気自動車ＶのバッテリーＢが切れて、車載器１１０への電力の供給が遮断されていた場合、情報取得部１１２は、車載器１１０が起動していない状況において参照されるべき情報として、充電残量の情報を取得する。また、例えば、電気自動車Ｖが故障して、車載器１１０への電力の供給が遮断されていた場合、情報取得部１１２は、車載器１１０が起動していない状況において参照されるべき情報として、故障診断情報を取得する。そして、情報取得部１１２は、取得した情報を示すデータを、データ送信部１１３へ送る。
【００３２】
車載器１１０のデータ送信部１１３は、情報取得部１１２から送られたデータを受け取ると、そのデータを、ＩＣタグ１３０へ送信する（Ｓ１０３）。ＩＣタグ１３０は、車載器１１０から送信されたデータを受信すると、そのデータを記憶する。その後、車載器１１０は、シャットダウンされる。
【００３３】
このようにして、ＩＣタグ１３０には、車載器１１０が起動していない状況において参照されるべき情報が記憶されることになる。したがって、例えば、電気自動車Ｖのユーザは、本来は車載器１１０を起動させて参照し得る情報を、車載器１１０を起動させるために電気自動車Ｖのエンジンをかけたりすることなく、リーダＲを利用して参照することができるようになる。また、上述したように、電気自動車ＶのバッテリーＢが切れた場合や、電気自動車Ｖが故障した場合にも、ＩＣタグ１３０には、車載器１１０が起動していない状況において参照されるべき情報が記憶される。したがって、例えば、電気自動車Ｖのユーザは、電気自動車Ｖのエンジンをかけることができない状況においても、有用な情報を参照することができる。
【００３４】
図４は、車載器１１０の動作フローの一例を示す。この動作フローにおいては、車載器１１０への電力の供給が開始された場合の車載器１１０の動作について説明する。なおまた、この動作フローの説明においては、図１から図３を共に参照する。
【００３５】
例えば、電気自動車Ｖのエンジンが停止している間等、車載器１１０が起動していないときに車載器１１０に入力されようとする情報は、リーダＲを利用して、ＩＣタグ１３０に記憶される。ここで、車載器１１０が起動していないときに車載器１１０に入力されようとする情報としては、例えば、駐車料金や充電料金の情報等が挙げられる。
【００３６】
そして、イグニッションキーやエンジンスターター等のスイッチが操作されると、車載器１１０は、電気自動車ＶのバッテリーＢから供給される電力を受けて起動する。車載器１１０が起動すると、ＩＣタグ１３０は、車載器１１０から通信ケーブルを介して供給される電力を受けて起動する。
【００３７】
車載器１１０の送信要求部１１４は、車載器１１０が起動すると、ＩＣタグ１３０に対してデータの送信要求を行う（Ｓ２０１）。ＩＣタグ１３０は、車載器１１０からデータの送信要求があると、車載器１１０が起動していない間にリーダＲを利用して記憶されていたデータを、車載器１１０へ送信する。
【００３８】
車載器１１０のデータ受信部１１５は、ＩＣタグ１３０から送信されたデータを受信すると（Ｓ２０２）、そのデータを、情報処理部１１６へ送る。
【００３９】
車載器１１０の情報処理部１１６は、データ受信部１１５から送られたデータを受け取ると、そのデータによって示される情報の内容に応じた情報処理を行う（Ｓ２０３）。例えば、情報処理部１１６は、駐車料金や充電料金の情報を示すデータを受け取った場合、外部のサーバと通信を行って、その駐車料金や充電料金の電子決済処理を行う。
【００４０】
このように、車載器１１０は、起動すると、ＩＣタグ１３０に記憶されたデータを読み出して、そのデータによって示される情報の内容に応じた情報処理を行う。したがって、例えば、駐車場や充電スタンドの事業者は、利用者に電気自動車Ｖのエンジンをかけさせることなく、駐車料金や充電料金を請求することができる。
【００４１】
上述したように、車載器１１０は、自装置が起動していない状況において参照されるべき情報を示すデータを、ＩＣタグ１３０へ送信する。このようにして、データ送受信システム１００によっては、車載器１１０が起動していない状況において参照されるべき情報を示すデータを、リーダから送信された電波を受けて起動するＩＣタグ１３０から読み出すことができる。
【００４２】
また、上述したように、車載器１１０は、自装置への電力供給が遮断された場合に、その旨を検知する。このようにして、データ送受信システム１００においては、車載器１１０がシャットダウンするときに、ＩＣタグ１３０へデータを記憶させておくことができるようになる。
【００４３】
また、上述したように、車載器１１０は、自装置が起動していない状況において参照されるべき情報を取得する。このようにして、データ送受信システム１００においては、時装置が起動していない状況において参照されるべき情報の種類を設定しておけば、その情報が取得されることになる。
【００４４】
また、上述したように、車載器１１０は、自装置が起動した場合に、ＩＣタグ１３０に対してデータの送信要求を行う。そして、車載器１１０は、ＩＣタグ１３０から送信されたデータを受信する。そして、車載器１１０は、受信したデータによって示される情報の内容に応じた情報処理を行う。このようにして、データ送受信システム１００においては、車載器１１０へ送信すべきデータを、車載器１１０が起動していなくても送信しておくことができる。
【００４５】
図５は、本実施形態に係る車載器１１０を構成するコンピュータ８００のハードウェア構成の一例を示す。本実施形態に係るコンピュータ８００は、ホストコントローラ８０１により相互に接続されるＣＰＵ（Ｃｅｎｔｒａｌ  Ｐｒｏｃｅｓｓｉｎｇ  Ｕｎｉｔ）８０２、ＲＡＭ（Ｒａｎｄｏｍ  Ａｃｃｅｓｓ  Ｍｅｍｏｒｙ）８０３、グラフィックコントローラ８０４、及びディスプレイ８０５を有するＣＰＵ周辺部と、入出力コントローラ８０６により相互に接続される通信インターフェース８０７、ハードディスクドライブ８０８、及びＣＤ−ＲＯＭ（Ｃｏｍｐａｃｔ  Ｄｉｓｋ  Ｒｅａｄ  Ｏｎｌｙ  Ｍｅｍｏｒｙ）ドライブ８０９を有する入出力部と、入出力コントローラ８０６に接続されるＲＯＭ（Ｒｅａｄ  Ｏｎｌｙ  Ｍｅｍｏｒｙ）８１０、フレキシブルディスクドライブ８１１、及び入出力チップ８１２を有するレガシー入出力部とを備える。
【００４６】
ホストコントローラ８０１は、ＲＡＭ８０３と、高い転送レートでＲＡＭ８０３をアクセスするＣＰＵ８０２、及びグラフィックコントローラ８０４とを接続する。ＣＰＵ８０２は、ＲＯＭ８１０、及びＲＡＭ８０３に格納されたプログラムに基づいて動作し、各部の制御を行う。グラフィックコントローラ８０４は、ＣＰＵ８０２等がＲＡＭ８０３内に設けたフレームバッファ上に生成する画像データを取得し、ディスプレイ８０５上に表示させる。これに代えて、グラフィックコントローラ８０４は、ＣＰＵ８０２等が生成する画像データを格納するフレームバッファを、内部に含んでもよい。
【００４７】
入出力コントローラ８０６は、ホストコントローラ８０１と、比較的高速な入出力装置である通信インターフェース８０７、ハードディスクドライブ８０８、及びＣＤ−ＲＯＭドライブ８０９を接続する。ハードディスクドライブ８０８は、コンピュータ８００内のＣＰＵ８０２が使用するプログラム、及びデータを格納する。ＣＤ−ＲＯＭドライブ８０９は、ＣＤ−ＲＯＭ８９２からプログラム、又はデータを読み取り、ＲＡＭ８０３を介してハードディスクドライブ８０８に提供する。
【００４８】
また、入出力コントローラ８０６には、ＲＯＭ８１０と、フレキシブルディスクドライブ８１１、及び入出力チップ８１２の比較的低速な入出力装置とが接続される。ＲＯＭ８１０は、コンピュータ８００が起動時に実行するブートプログラム、及び／又はコンピュータ８００のハードウェアに依存するプログラム等を格納する。フレキシブルディスクドライブ８１１は、フレキシブルディスク８９１からプログラム、又はデータを読み取り、ＲＡＭ８０３を介してハードディスクドライブ８０８に提供する。入出力チップ８１２は、フレキシブルディスクドライブ８１１を入出力コントローラ８０６へと接続すると共に、例えばパラレルポート、シリアルポート、キーボードポート、マウスポート等を介して各種の入出力装置を入出力コントローラ８０６へと接続する。
【００４９】
ＲＡＭ８０３を介してハードディスクドライブ８０８に提供されるプログラムは、フレキシブルディスク８９１、ＣＤ−ＲＯＭ８９２、又はＩＣ（Ｉｎｔｅｇｒａｔｅｄ  Ｃｉｒｃｕｉｔ）カード等の記録媒体に格納されて利用者によって提供される。プログラムは、記録媒体から読み出され、ＲＡＭ８０３を介してコンピュータ８００内のハードディスクドライブ８０８にインストールされ、ＣＰＵ８０２において実行される。
【００５０】
コンピュータ８００にインストールされ、コンピュータ８００を車載器１１０として機能させるプログラムは、コンピュータ８００を、ステップＳ１０３において、自装置が起動していない状況において参照されるべき情報を示すデータを、ＩＣタグ１３０へ送信するデータ送信部１１３として機能させる。
【００５１】
更に、当該プログラムは、コンピュータ８００を、ステップＳ１０１において、自装置への電力供給が遮断された場合に、その旨を検知する遮断検知部１１１と、遮断検知部１１１が自装置への電力供給が遮断されたことを検知した場合に、ステップＳ１０３において、データを送信するデータ送信部１１３として機能させてもよい。
【００５２】
更に、当該プログラムは、コンピュータ８００を、ステップＳ１０２において、自装置が起動していない状況において参照されるべき情報を取得する情報取得部１１２と、情報取得部１１２が取得した情報を示すデータを、ステップＳ１０３において送信するデータ送信部１１３として機能させてもよい。
【００５３】
更に、当該プログラムは、コンピュータ８００を、ステップＳ２０１において、自装置が起動した場合に、ＩＣタグ１３０に対してデータの送信要求を行う送信要求部１１４と、ステップＳ２０２において、ＩＣタグ１３０から送信されたデータを受信するデータ受信部１１５と、データ受信部１１５が受信したデータによって示される情報の内容に応じた情報処理を、ステップＳ２０３において行う情報処理部１１６として機能させてもよい。
【００５４】
これらのプログラムに記述された情報処理は、コンピュータ８００に読み込まれることにより、ソフトウェアと上述した各種のハードウェア資源とが協働した具体的手段である遮断検知部１１１、情報取得部１１２、データ送信部１１３、送信要求部１１４、データ受信部１１５、及び情報処理部１１６として機能する。そして、これらの具体的手段によって、本実施形態におけるコンピュータ８００の使用目的に応じた情報の演算、又は加工を実現することにより、使用目的に応じた特有の車載器１１０が構築される。
【００５５】
一例として、コンピュータ８００と外部の装置等との間で通信を行う場合には、ＣＰＵ８０２は、ＲＡＭ８０３上にロードされた通信プログラムを実行し、通信プログラムに記述された処理内容に基づいて、通信インターフェース８０７に対して通信処理を指示する。通信インターフェース８０７は、ＣＰＵ８０２の制御を受けて、ＲＡＭ８０３、ハードディスクドライブ８０８、フレキシブルディスク８９１、又はＣＤ−ＲＯＭ８９２等の記憶装置上に設けた送信バッファ領域等に記憶された送信データを読み出してネットワークへと送信し、もしくは、ネットワークから受信した受信データを記憶装置上に設けた受信バッファ領域等へと書き込む。このように、通信インターフェース８０７は、ダイレクトメモリアクセス方式により記憶装置との間で送受信データを転送してもよく、これに代えて、ＣＰＵ８０２が転送元の記憶装置、又は通信インターフェース８０７からデータを読み出し、転送先の通信インターフェース８０７、又は記憶装置へとデータを書き込むことにより送受信データを転送してもよい。
【００５６】
また、ＣＰＵ８０２は、ハードディスクドライブ８０８、フレキシブルディスク８９１、ＣＤ−ＲＯＭ８９２等の外部記憶装置に格納されたファイル、又はデータベース等の中から、全部、又は必要な部分をダイレクトメモリアクセス転送等によりＲＡＭ８０３へと読み込ませ、ＲＡＭ８０３上のデータに対して各種の処理を行う。そして、ＣＰＵ８０２は、処理を終えたデータを、ダイレクトメモリアクセス転送等により外部記憶装置へと書き戻す。
【００５７】
このような処理において、ＲＡＭ８０３は、外部記憶装置の内容を一時的に保持するものとみなせるから、本実施形態においてはＲＡＭ８０３、及び外部記憶装置等をメモリ、記憶部、又は記憶装置等と総称する。本実施形態における各種のプログラム、データ、テーブル、データベース等の各種の情報は、このような記憶装置上に格納されて、情報処理の対象となる。なおまた、ＣＰＵ８０２は、ＲＡＭ８０３の一部をキャッシュメモリに保持し、キャッシュメモリ上で読み書きを行うこともできる。このような形態においても、キャッシュメモリはＲＡＭ８０３の機能の一部を担うから、本実施形態においては、区別して示す場合を除き、キャッシュメモリもＲＡＭ８０３、メモリ、及び／又は記憶装置に含まれるものとする。
【００５８】
また、ＣＰＵ８０２は、ＲＡＭ８０３から読み出したデータに対して、プログラムの命令列により指定された、本実施形態中に記載した各種の演算、情報の加工、条件判断、情報の検索、置換等を含む各種の処理を行い、ＲＡＭ８０３へと書き戻す。例えば、ＣＰＵ８０２は、条件判断を行う場合においては、本実施形態において示した各種の変数が、他の変数、又は定数と比較して、大きい、小さい、以上、以下、又は等しい等の条件を満たすかどうかを判断し、条件が成立した場合、又は不成立であった場合に、異なる命令列へと分岐し、又はサブルーチンを呼び出す。
【００５９】
また、ＣＰＵ８０２は、記憶装置内のファイル、又はデータベース等に格納された情報を検索することができる。例えば、第１属性の属性値に対し第２属性の属性値がそれぞれ対応付けられた複数のエントリが記憶装置に格納されている場合において、ＣＰＵ８０２は、記憶装置に格納されている複数のエントリの中から第１属性の属性値が指定された条件と一致するエントリを検索し、そのエントリに格納されている第２属性の属性値を読み出すことにより、所定の条件を満たす第１属性に対応付けられた第２属性の属性値を得ることができる。
【００６０】
以上に示したプログラム、又はモジュールは、外部の記憶媒体に格納されてもよい。記憶媒体としては、フレキシブルディスク８９１、ＣＤ−ＲＯＭ８９２の他に、ＤＶＤ（Ｄｉｇｉｔａｌ  Ｖｅｒｓａｔｉｌｅ  Ｄｉｓｋ）、又はＣＤ（Ｃｏｍｐａｃｔ  Ｄｉｓｋ）等の光学記録媒体、ＭＯ（Ｍａｇｎｅｔｏ−Ｏｐｔｉｃａｌ  ｄｉｓｋ）等の光磁気記録媒体、テープ媒体、ＩＣカード等の半導体メモリ等を用いることができる。また、専用通信ネットワーク、又はインターネットに接続されたサーバシステムに設けたハードディスク、又はＲＡＭ等の記憶媒体を記録媒体として使用して、ネットワークを介してプログラムをコンピュータ８００に提供してもよい。
【００６１】
以上、本発明を実施の形態を用いて説明したが、本発明の技術的範囲は、上記実施の形態に記載の範囲には限定されない。上記実施の形態に、多様な変更、又は改良を加えることが可能であることが当業者に明らかである。そのような変更、又は改良を加えた形態も本発明の技術的範囲に含まれ得ることが、特許請求の範囲の記載から明らかである。
【００６２】
特許請求の範囲、明細書、及び図面中において示したシステム、方法、装置、プログラム、及び記録媒体における動作、手順、ステップ、及び段階等の各処理の実行順序は、特段「より前に」、「先立って」等と明示しておらず、また、前の処理の出力を後の処理で用いるのでない限り、任意の順序で実現し得ることに留意すべきである。特許請求の範囲、明細書、及び図面中の動作フローに関して、便宜上「まず、」、「次に、」等を用いて説明したとしても、この順で実施することが必須であることを意味するものではない。
【符号の説明】
【００６３】
１００  データ送受信システム
１１０  車載器
１１１  遮断検知部
１１２  情報取得部
１１３  データ送信部
１１４  送信要求部
１１５  データ受信部
１１６  情報処理部
１３０  ＩＣタグ
８００  コンピュータ
８０１  ホストコントローラ
８０２  ＣＰＵ
８０３  ＲＡＭ
８０４  グラフィックコントローラ
８０５  ディスプレイ
８０６  入出力コントローラ
８０７  通信インターフェース
８０８  ハードディスクドライブ
８０９  ＣＤ−ＲＯＭドライブ
８１０  ＲＯＭ
８１１  フレキシブルディスクドライブ
８１２  入出力チップ
８９１  フレキシブルディスク
８９２  ＣＤ−ＲＯＭ
Ｂ  バッテリー
Ｒ  リーダ
Ｖ  自動車
【図１】
0006021330.tif 000002
【図２】
0006021330.tif 000003
【図３】
0006021330.tif 000004
【図４】
0006021330.tif 000005
【図５】
0006021330.tif 000006